(57)【要約】【課題】主に、大入賞装置が大型化することを防止し、ひいては大入賞装置に対する不正行為の発生を抑制することができる遊技機を提供する。【解決手段】カウントスイッチ１２６は、その長手方向が大入賞装置８４の幅方向（大入賞口９６の開口面）に対して傾斜しているので、その長手方向が大入賞装置８４の幅方向（大入賞口８６の開口面）に対して平行に配置されている構成と比較して、大入賞装置８４の幅方向寸法を小さく設定することができ、ひいては大入賞装置８４自体の大きさを小型化することができる。【選択図】      図１０
2008161579.tif 000002
【特許請求の範囲】
【請求項１】
遊技球が進入する入口となる開口部と、前記開口部に進入してきた遊技球を検知する遊技球検知部と、前記開口部に進入した遊技球を前記遊技球検知部へ導く遊技球通路と、を有する入賞装置、を遊技盤に設けた遊技機であって、
前記遊技球検知部の幅方向に沿って延びる部位の延在方向が前記入賞装置の幅方向に対して傾斜し、かつ前記遊技球検知部の厚み方向に沿って延びる部位の延在方向が前記遊技球通路を通過する遊技球の遊技球通過方向上流側から下流側に向けて下り傾斜していることを特徴とする遊技機。
【請求項２】
前記遊技球通路は、前記遊技球検知部に向かって略直線状に延在していることを特徴とする請求項１に記載の遊技機。
【請求項３】
前記開口部を開放又は閉塞する開閉部を有し、
前記遊技球通路の延在方向一方側端部は前記開閉部の幅方向一方側端部寄りに位置しており、前記遊技球通路の延在方向は前記入賞装置の幅方向に対して傾斜していることを特徴とする請求項２に記載の遊技機。
【請求項４】
前記入賞装置は、前記遊技盤に形成された孔部に装着され、
前記入賞装置が前記孔部に装着された状態で、前記遊技球検知部が前記遊技盤の厚み内部に相当する空間部に位置していることを特徴とする請求項１乃至３のいずれか１項に記載の遊技機。
【発明の詳細な説明】
【技術分野】
【０００１】
本発明は、例えばアタッカーなどの入賞装置を備えた遊技機に関する。
【背景技術】
【０００２】
従来の遊技機には、アタッカーなどの大入賞装置を備えたものが知られている。この大入賞装置は、いわゆる大当りに当選したときに、特別遊技の継続時間及び所定回数だけ開口し続け、遊技球が入球することにより多量の遊技球の払い出しを可能とするものである。
【０００３】
この大入賞装置は、内部に遊技球を導く開口状の大入賞口と、大入賞口を開放又は閉塞する開閉板と、大入賞口の内部に入球した遊技球が通過する遊技球通過部を有し遊技球が遊技球通過部を通過することにより遊技球を検知してカウントする遊技球検知部材と、を備えている。ここで、従来の大入賞装置の遊技球検知部材は、大入賞口側と反対側（遊技盤と反対側）に配置されていた。しかも、大入賞装置の遊技球検知部材（遊技球通過部）は、大入賞口に対して平行で、かつ遊技球が通過する底面に対して垂直（９０度）となるように、配置されている。また、大入賞装置の内部に形成された遊技球通路は、大入賞口から遊技球検知部材の間に形成されているが、遊技球通路の延在方向が大入賞口に対して傾斜しているため、遊技球通過部に対しても傾斜している構成となっていた。このため、大入賞装置の内部に入球した遊技球は、遊技球通路を通過後、遊技球通路を区画する内壁に衝突して軌道を変えながら、遊技球通過部を通過する構成になっていた。
【特許文献１】特開２００２−２３９１０８号公報
【発明の開示】
【発明が解決しようとする課題】
【０００４】
ところで、上記従来の遊技機では、大入賞装置の遊技球検知部材が、大入賞口側と反対側（遊技盤と反対側）の奥の方に配置されているため、大入賞装置自体が大型化してしまう問題がある。また、大型化することによる弊害として、遊技球検知部材が遊技者からみて遊技盤よりも後方側に位置するため、不正行為者が遊技盤の裏側から遊技球検知部材に容易にアプローチすることが可能となり、不正行為（ゴト行為）に合い易いという別の問題が生じることになる。
【０００５】
また、大入賞装置の内部に入球した遊技球は、遊技球通路を通過後、遊技球通路を区画する内壁に衝突して軌道を変えながら遊技球通過部を通過することと、大入賞装置の遊技球検知部材（遊技球通過部）が遊技球通路の底面に対して垂直（９０度）となるように配置されており遊技球通過部上で遊技球の動きが一旦停止することから、大入賞口に入球した遊技球が遊技球通過部を円滑に通過することができず、遊技球検知部材の近傍で遊技球の動きが滞る問題が生じていた。この結果、ある遊技球が遊技球通過部を通過して検知されているときに、大入賞口から遊技球検知部材（遊技球通過部）に至るまでの遊技球通路には別の多くの遊技球が滞在するという現象が生じていた。このことは、遊技球検知部材における遊技球の想定カウント数に到達した後に、大入賞口から遊技球検知部材に至るまでの遊技球通路に滞在する別の多くの遊技球が遊技球通過部を通過することになり、遊技球検知部材の想定カウント数よりも遊技球通過部を通過して検知される遊技球の数が多くなるという問題を新たに発生させていた。
【０００６】
そこで、本発明は、大入賞装置が大型化することを防止し、ひいては大入賞装置に対する不正行為の発生を抑制することができる遊技機を提供することを目的とする。
【０００７】
また、本発明は、大入賞口から入球してきた遊技球が大入賞口からの入賞後、遊技球検知部材において検知されるまでの時間を短縮することができる遊技機を提供することを目的とする。
【課題を解決するための手段】
【０００８】
請求項１に記載の発明は、遊技球が進入する入口となる開口部と、前記開口部に進入してきた遊技球を検知する遊技球検知部と、前記開口部に進入した遊技球を前記遊技球検知部へ導く遊技球通路と、を有する入賞装置、を遊技盤に設けた遊技機であって、前記遊技球検知部の幅方向に沿って延びる部位の延在方向が前記入賞装置の幅方向に対して傾斜し、かつ前記遊技球検知部の厚み方向に沿って延びる部位の延在方向が前記遊技球通路を通過する遊技球の遊技球通過方向上流側から下流側に向けて下り傾斜していることを特徴とする。
【０００９】
請求項２に記載の発明は、請求項１に記載の遊技機において、前記遊技球通路は、前記遊技球検知部に向かって略直線状に延在していることを特徴とする。
【００１０】
請求項３に記載の発明は、請求項２に記載の遊技機において、前記開口部を開放又は閉塞する開閉部を有し、前記遊技球通路の延在方向一方側端部は前記開閉部の幅方向一方側端部寄りに位置しており、前記遊技球通路の延在方向は前記入賞装置の幅方向に対して傾斜していることを特徴とする。
【００１１】
請求項４に記載の発明は、請求項１乃至３のいずれか１項に記載の遊技機において、前記入賞装置は、前記遊技盤に形成された孔部に装着され、前記入賞装置が前記孔部に装着された状態で、前記遊技球検知部が前記遊技盤の厚み内部に相当する空間部に位置していることを特徴とする。
【発明の効果】
【００１２】
請求項１に記載の発明によれば、遊技球は、入賞装置の開口部から内部に進入し、遊技球通路を通って遊技球検知部に導かれる。遊技球は、遊技球検知部を通過することで検知される。ここで、平面視において遊技球検知部の幅方向に沿って延びる部位の延在方向が入賞装置の幅方向（開口部の開口面）に対して傾斜しているので、遊技球検知部の幅方向に沿って延びる部位の延在方向が入賞装置の幅方向（開口部の開口面）に対して平行となるように配置されている構成と比較して、入賞装置の幅方向寸法を小さく設定することができ、ひいては入賞装置自体の大きさを小型化することができる。
【００１３】
また、遊技球検知部の厚み方向に沿って延びる部位の延在方向が遊技球通路を通過する遊技球の遊技球通過方向上流側から下流側に向けて下り傾斜しているため、傾斜している遊技球検知部上において遊技球が停滞してしまうことを防止できる。このため、遊技球検知部近傍で遊技球の動きが滞ることがなく、ひいては開口部から遊技球検知部にかけての遊技球通路上で多くの遊技球が停滞することを防止できる。この結果、遊技球検知部における遊技球の想定カウント数と、遊技球検知部において実際にカウントされる遊技球のカウント数と、を略一致させることができる。
【００１４】
なお、本明細書の「入賞装置」とは、特別遊技状態のみに開き入球により遊技球の個数に基づいて払出数が決定される所謂アタッカーなどの大入賞装置と、遊技球の入球により特別遊技に関する抽選処理が開始される所謂電チューなどの普通電動役物と、遊技球の入球により遊技球の払出数が実現され常時開口した箱型の入賞装置と、が含まれ、センター役物などは含まない意味である。
【００１５】
請求項２に記載の発明によれば、遊技球通路が遊技球検知部に向かって略直線状に延在しているため、開口部から遊技球通路に進入した遊技球は、遊技球通路上を何の障害も無く進行して遊技球検知部を通過していく。このため、遊技球は、軌道を大きく変えることなく、遊技球検知部を通過する。この結果、開口部から内部に進入した遊技球が遊技球検知部を通過するまでの時間を短くすることができる。開口部から内部に進入した遊技球が遊技球検知部を通過するまでの時間を短くすることができれば、開口部から遊技球検知部にかけての遊技球通路上で多くの遊技球が停滞することを防止できる。
【００１６】
請求項３に記載の発明によれば、遊技球通路の延在方向一方側端部が開閉部の幅方向一方側端部寄りに位置しているため、遊技球通路の延在方向一方側端部が開閉部の幅方向一方側端部から他方側端部にかけて接続されている構成と比較して、遊技球通路に進入するための入口が狭くなるので、開口部から遊技球通路に進入する遊技球の個数を低減させることができる。この結果、開口部から遊技球検知部にかけての遊技球通路上で多くの遊技球が停滞することを防止できる。
【００１７】
また、同時に、遊技球通路の延在方向が入賞装置の幅方向（開口部の開口面）に対して傾斜しているため、遊技球通路の延在方向が入賞装置の幅方向（開口部の開口面）に対して略直交する方向（奥行き方向）に形成されている構成と比較して、入賞装置の奥行き寸法を小さく設定することができ、ひいては入賞装置自体の大きさを小型化することができる。
【００１８】
なお、遊技球通路の延在方向が入賞装置の幅方向（開口部の開口面）に対して傾斜している構成でも、遊技球通路が遊技球検知部に向かって略直線状に延在しているので、遊技球通路に進入した遊技球の軌道を大きく変えることなく、遊技球が遊技球検知部を通過することになる。この結果、遊技球は、遊技球検知部を円滑かつ迅速に通過することになる。
【００１９】
さらに、遊技球通路の延在方向は入賞装置の幅方向に対して傾斜しているため、開口部から遊技球通路に進入した遊技球は、遊技球通路を区画する内壁に衝突する度に、遊技球に作用している力（例えば、重力など）を分散させながら内壁に沿って遊技球通路を進むため、遊技球の進行速度を減速させることができる。この結果、遊技球は、減速された状態で遊技球検知部を通過することになるので、遊技球検知部における誤検知（遊技球の通過速度が速過ぎて検知できない状態）を防止できる。
【００２０】
請求項４に記載の発明によれば、入賞装置が遊技盤の孔部に装着された状態で、遊技球検知部が遊技盤の厚み内部に相当する空間部に位置しているため、不正行為者が遊技盤の前方又は後方から遊技球検知部にアプローチする際に、遊技盤が邪魔になる。これにより、不正行為者に不正行為を躊躇させ、不正行為の発生を抑制することができる。
【発明を実施するための最良の形態】
【００２１】
次に、本発明の第１実施形態に係る遊技機について、図面を参照して説明する。なお、本実施形態では本発明を弾球遊技機の一例であるパチンコ機に適用した構成を説明する。
【００２２】
図１及び図２に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００２３】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００２４】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００２５】
また、図１及び図２に示すように、前面枠１６の左上方側及び右上方側には、メインスピーカ（図示省略）から出力された音声を前面枠１６の外部に導くための導音部３４がそれぞれ設けられている。各導音部３４は、円筒状の導音部本体３６と、導音部本体３６に形成された複数のスリット３８と、で構成されている。
【００２６】
また、前面枠１６の下方側には、上皿部１８が設けられている。この上皿部１８には、演出ボタン４０と、球貸し操作部１５５と、がそれぞれ設けられている。
【００２７】
また、上皿部１８の下方側には、下皿部２０が設けられている。また、下皿部２０の右側には、遊技球を発射させるための発射ハンドル２４が設けられている。この発射ハンドル２４には、発射レバー４４と、発射停止ボタン４６がそれぞれ設けられている。
【００２８】
また、図１及び図２に示すように、下皿部２０の左右下方側には、所定の効果音を出力するための各サブスピーカ４８がそれぞれ設けられている。
【００２９】
また、内枠１４には、遊技領域２８（図３参照）の形状に合致した開口部（図示省略）が形成されている。この内枠１４の内側面には、遊技盤２６（図３参照）が取り付けられる。これにより、遊技者は、遊技盤２６の遊技領域２８を内枠１４の開口部及び前面枠１６の開口部３０を通して視認することができる。
【００３０】
さらに、パチンコ機１０の正面左側には、球貸装置（球貸部）１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００３１】
また、球貸し操作部１５５には、球貸しを要求するための球貸スイッチ１５６、カード挿入口１５７に挿入されたプリペイドカードの返却を要求するための返却スイッチ１５８と、がそれぞれ設けられている。
【００３２】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数に対応する数量の遊技球（貸球）が上皿部１８に案内される。このとき、例えば、プリペイドカードの残り度数が減算されて「０」となった場合には、カード挿入口１５７から自動的にプリペイドカードが返却される。
【００３３】
なお、球貸装置１５４として現金ユニットを用いる構成では、球貸装置１５４の現金投入口に現金を投入すると、現金が球貸装置１５４内部のキャッシュカウンタによりカウントされる。投入金額が所定の額に到達した後、球貸スイッチ１５６を押圧操作すると、キャッシュカウンタにより投入金額が減額されていくとともに、その減額された金額に対応する数量の遊技球（貸球）が上皿部１８に案内される。
【００３４】
次に、遊技盤２６の表面構造について図３を参照して説明する。
【００３５】
遊技盤２６は、内枠１４に保持されるとともに、裏機構盤（図示省略）よりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂを有する普通電動役物（入賞装置）５６と、ワープ入球口５８と、多数の障害釘６０と、風車６３等と、がそれぞれ配設されている。
【００３６】
中央装置５４は、遊技領域２８の略中央部に配置されており、演出図柄表示装置６２と、センター役物６４と、ランプ装置６６と、を備えている。
【００３７】
演出図柄表示装置６２は、後述の主制御基板１０２（図４参照）やサブ制御基板１０６（図４参照）からの制御信号に基づいて表示制御されており、略長方形状の映像画面を有している。この映像画面上には、特別図柄の擬似図柄である擬似特別図柄（擬似図柄）が表示される。具体的には、演出図柄表示装置６２の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００３８】
演出図柄表示装置６２は、遊技球が普通電動役物５６の始動口５６Ｂに入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、後述の変動入賞装置８０に配設された後述の大入賞装置（入賞装置）８４の大入賞口（開口部）８６が開放される。本実施形態のパチンコ機１０では普通電動役物５６の始動口５６Ｂに遊技球が入球すると、各擬似特別図柄がそれぞれ変動され、擬似特別図柄が３桁同一図柄で揃うことにより、「大当り」という特定価値を付与するものである。
【００３９】
ここで、本実施形態のパチンコ機１０では、例えば、大当りとして２種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。
【００４０】
確変大当り及び通常大当りは、比較的多くのラウンド数（例えば１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。
【００４１】
また、確率変動状態は、大当り（確変大当り、通常大当りの２種類の大当り意味する）に移行する確率が予め定められた高確率となる状態である。また、開放時間延長状態は、普通電動役物５６の始動口５６Ｂの開放時間が通常よりも延長される状態である。例えば、通常の開放時間は、約０．１秒間であるのに対して、開放時間延長状態では、約４秒間に延長される。なお、普通電動役物５６の始動口５６Ｂは、普通図柄に当選することにより開放する。
【００４２】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物５６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物５６の開放延長機能が作動する時短遊技状態となる。
【００４３】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００４４】
また、遊技領域の左下方側には、主制御基板１０２からの制御信号に基づいて本図柄（特別図柄の本図柄及び普通図柄の本図柄を意味する）を表示制御する７セグ表示基板（図柄表示装置）６８が配置されている。この７セグ表示基板６８は、特別図柄の本図柄を表示する７セグメント表示器７０と、４個の普通図柄保留表示ＬＥＤ７２と、４個の特別図柄保留表示ＬＥＤ７４と、普通図柄の本図柄を表示する２個の普通図柄表示ＬＥＤ７６と、を有している。
【００４５】
ここで、確変大当りした場合では、７セグメント表示器７０には、予め定められた図柄（例えば奇数の数字）が表示される。また、通常大当りした場合では、７セグメント表示器７０には、予め定められた別の図柄（例えば偶数の数字）が表示される。そして、各大当りのラウンド中では、７セグメント表示器７０にはその図柄が表示される。
【００４６】
また、演出図柄表示装置６２の左側には、普通図柄作動ゲート（遊技球通過ゲート）７８が配置されている。この普通図柄作動ゲート７８の内部には、ゲートスイッチ１２４（図４参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００４７】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、普通電動役物５６の始動口５６Ｂに入球した遊技球の数も４個まで特別図柄の保留とし、入球ごとに順次点灯しシフト表示するものである。７セグメント表示器７０の変動表示が開始するたびに、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、後述の大入賞口８６が開放状態となる。また、２個の普通図柄表示ＬＥＤ７６が予め定められた表示態様（当り図柄）で停止表示されると、普通図柄当りが発生し、普通電動役物５６の始動口５６Ｂが開放状態となる。なお、７セグメント表示器７０にて表示される特別図柄の本図柄と、演出図柄表示装置６２にて表示される特別図柄の擬似図柄とは、同一の遊技結果（抽選結果）を示すものである。
【００４８】
普通電動役物５６の始動口５６Ｂは、演出図柄表示装置６２の下方に離れて配置されているものであり、いわゆるチューリップ式で一対の翼片部５６Ａが開閉するように形成されている。その内部には、遊技球の通過を検知する始動口スイッチ１２０（図４参照）と、翼片部５６Ａを作動させるための普通電動役物ソレノイド１３０（図４参照）と、がそれぞれ備えられている。この一対の翼片部５６Ａが左右に開くと始動口５６Ｂの開放面積が大きくなって遊技球の入球可能性が大きくなる開放状態となり、一対の翼片部５６Ａが閉じその離間距離が小さくなると始動口５６Ｂの開放面積が小さくなって遊技球の入球の可能性が小さくなる通常状態となる。
【００４９】
変動入賞装置８０は、普通電動役物５６の下方に配置されており、基板８２と、大入賞装置８４と、を備えている。ここで、大入賞装置８４は、略中央に配置されており、正面視にて横長に開口された大入賞口８６と、この大入賞口８６を開放又は閉鎖する開閉板（開閉部）８８と、この開閉板８８を開閉するための大入賞口ソレノイド１３２（図４参照）と、入賞球を検知するカウントスイッチ（遊技球検知部）１２６（図４参照）と、を備えている。なお、本発明の要部である大入賞装置８４の構造の詳細については、後述する。
【００５０】
また、中央装置５４の左側には、風車６３が配置されている。さらに、遊技領域の左側下方部及び右側下方には、一対のサイドランプ９０がそれぞれ配置されている。
【００５１】
また、大入賞装置８４の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００５２】
次に、パチンコ機１０を構成する電子制御装置について説明する。
【００５３】
図４乃至図７に示すように、電子制御装置は、主制御基板１０２と、払出制御基板１０４と、サブ制御基板１０６と、発射制御基板１０８と、を備えている。
【００５４】
主制御基板１０２は、ＣＰＵと、ＲＯＭと、を備えている。
【００５５】
また、主制御基板１０２のＣＰＵは、ＲＯＭに記憶されたデータに基づいて、後述の普通電動役物ソレノイド１３０、後述の大入賞口ソレノイド１３２、後述の図柄表示装置１３４及びサブ制御基板１０６をそれぞれ制御する。また、主制御基板１０２のＣＰＵは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵは、演出表示基板１１０、アンプ基板１１２、装飾駆動基板１１４及び演出ボタン基板１１６をサブ制御基板１０６を介して間接的に制御する。
【００５６】
また、主制御基板１０２のＲＯＭには、主制御基板１０２のＣＰＵにより実行される遊技全体の制御を実現するためのプログラムが記憶されている。
【００５７】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００５８】
また、主制御基板１０２は、中継端子板１２８を介して、普通電動役物ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００５９】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００６０】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２と払出スイッチ１６４とにそれぞれ電気的に接続されている。さらに、払出制御基板１０４は、主制御基板１０２と発射制御基板１０８とにそれぞれ電気的に接続されている。
【００６１】
図４及び図５に示すように、サブ制御基板１０６は、演出表示基板１１０と、アンプ基板１１２と、装飾駆動基板１１４と、演出ボタン基板１１６と、にそれぞれ電気的に接続されている。
【００６２】
また、サブ制御基板１０６は、主制御基板１０２からの制御信号に基づいて遊技の演出の制御を司るものである。また、サブ制御基板１０６は、ＣＰＵと、ＲＯＭと、を備えている。
【００６３】
サブ制御基板１０６のＣＰＵは、主制御基板１０２からの制御信号を受けて演出表示基板１１０、アンプ基板１１２、装飾駆動基板１１４及び演出ボタン基板１１６などの各基板を制御する。
【００６４】
また、サブ制御基板１０６のＲＯＭには、各基板の制御に必要なデータ（特に遊技の装飾に関する情報）が記憶されている。
【００６５】
また、図５に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示される擬似特別図柄のデータが記憶されている。なお、演出図柄表示装置６２は、演出表示装置１６６の一実施形態である。
【００６６】
また、図５に示すように、アンプ基板１１２には、所定の効果音を出力する各種スピーカ１７０（４８）が電気的に接続されている。なお、サブスピーカ４８は、各種スピーカ１７０の一実施形態である。
【００６７】
また、図５に示すように、装飾駆動基板１１４には、各種ＬＥＤ・ランプ１７２（６６）が電気的に接続されている。また、装飾駆動基板１１４は、サブ制御基板１０６からのコマンドを受けて遊技の装飾に関する制御を行うものである。また、演出ボタン基板１７８には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００６８】
また、図６に示すように、主制御基板１０２、サブ制御基板１０６、払出制御基板１０４及び発射制御基板１０８には、各基板１０２、１０４、１０６、１０８に電力をそれぞれ供給するための電源基板１７６が接続されている。
【００６９】
また、図７に示すように、発射制御基板１０８には、発射駆動基板１７８を介して、発射モータ１８０と、発射停止スイッチ１８２（６４）と、タッチスイッチ１８４と、がそれぞれ電気的に接続されている。また、発射制御基板１０８には、球送りソレノイド１８６が電気的に接続されている。
【００７０】
ここで、本発明の要部である大入賞装置８４の構造について詳細に説明する。
【００７１】
図８及び図９に示すように、大入賞装置８４は、筐体部１９０を備えている。筐体部１９０は、上蓋部１９２と、筐体底部１９４と、で構成されている。筐体部１９０には、上述したように、遊技領域２８を落下してきた遊技球Ｍが内部に進入可能となる大入賞口８６が形成されている。大入賞口８６は、上蓋部１９２と筐体底部１９４とにより区画形成されている。また、大入賞口８６は、筐体部１９０の幅方向（図８及び図９中矢印Ｗ方向）に長く延びるようにして形成されている。また、大入賞装置８４には、上述したように、幅方向に延在し大入賞口８６を開放又は閉塞する開閉板８８が設けられている。開閉板８８の幅方向両端部には軸部が形成されており、この軸部が大入賞口８６の幅方向両端部近傍に取り付けられている。なお、開閉板８８の軸部は、上蓋部１９２又は筐体底部１９４の一方を軸受けとして支持するようにしてもよいし、上蓋部１９２及び筐体底部１９４の両方を軸受けとして支持してもよい。また、図４、図１０及び図１１に示すように、開閉板８８には大入賞口ソレノイド１３２（図１１では図示省略）とアーム部材１３３が機械的に接続されており、大入賞口ソレノイド１３２が作動することによりアーム部材１３３を介して開閉板８８が作動され、大入賞口８６を開放又は閉塞することができるようになっている。なお、大入賞口ソレノイド１３２は、大入賞装置８４の筐体部１９０を構成する筐体底部１９４側に取り付けられており、主制御基板１０２により制御される。具体的には、遊技状態が大当り遊技状態に突入すると、開閉板８８は、所定の時間又は回数だけ大入賞口８６を開放し、遊技状態が大当り遊技状態以外の場合には、大入賞口８６を閉塞する。
【００７２】
図１０及び図１１に示すように、筐体部１９０を構成する筐体底部１９４には、上述したカウントスイッチ１２６が取り付けられている。このカウントスイッチ１２６は、全体として略直方体状に形成されており、カウントスイッチ１２６の幅方向一方側端部側にはその厚み方向に貫通した円形の開口孔である遊技球通過部１９６が形成されている。また、遊技球通過部１９６の円縁には、遊技球Ｍの通過を検知するセンサ部１９８が取り付けられている。なお、センサ部１９８で遊技球Ｍの通過が検知されると、カウントスイッチ１２６により通過した遊技球Ｍの個数がカウントされて、その結果が検知信号として主制御基板１０２に出力されるようになっている。
【００７３】
ここで、カウントスイッチ１２６は、その長手方向（図１１に示す平面視にてカウントスイッチ１２６の幅方向に沿って延びる上面部１２６Ａの延在方向）が筐体部１９０の幅方向（図１１中矢印Ｗ方向、大入賞口８６の開口面）に対して傾斜するように、配置されている。すなわち、カウントスイッチ１２６は、筐体底部１９４の中央側に位置するカウントスイッチ１２６の幅方向他方側端部１２６Ｌが筐体底部１９４の後方側（大入賞装置８４が遊技盤２６に取り付けられた状態で遊技者側と反対側）に位置し、筐体底部１９４の幅方向端部側に位置するカウントスイッチ１２６の幅方向一方側端部１２６Ｒが筐体底部１９４の前方側（大入賞装置８４が遊技盤２６に取り付けられた状態で遊技者側と反対側）に位置するように、配置されている。従来の遊技機では、カウントスイッチ１２６は、筐体部１９０の幅方向（大入賞口８６の開口面）に対して平行に配置され、かつ筐体部１９０の後方側に位置していたが、本実施形態の遊技機では、カウントスイッチ１２６が筐体部１９０の幅方向（大入賞口８６の開口面）に対して傾斜しているため、カウントスイッチ１２６を収納する筐体部１９０の幅方向（図１０中矢印Ｗ方向）寸法を短く設定することができる。
【００７４】
また、図８及び図９に示すように、カウントスイッチ１２６は、水平面（水平線）に対し、遊技球通過部１９６が遊技球通路２００を通過する遊技球Ｍの遊技球通過方向上流側から下流側に向けて下り傾斜するように、配置されている。すなわち、図１２に示すように、カウントスイッチ１２６は、遊技球通過部１９６の厚み方向に沿って延びる部位１２６Ｂの延在方向が水平方向に対して遊技球通過方向上流側（図１２中矢印Ａ方向側）から下流側（図１２中矢印Ｂ方向側）に向けて下り傾斜するように、配置されている。このため、遊技球通過部１９６の大入賞口８６側に位置する遊技球移動方向上流側（図１２中矢印Ａ方向側）の表面側通過部１９６Ａの位置が、大入賞口８６側と反対側に位置する遊技球移動方向下流側（図１２中矢印Ｂ方向側）の裏面側通過部１９６Ｂの位置よりも高くなっている。具体的には、カウントスイッチ１２６は水平線Ｌに対して傾斜しており、その傾斜角度αは約８０度（換言すれば、鉛直方向に対して約１０度）に設定されている。また、遊技球通路２００は、遊技球通過方向上流側（図１２中矢印Ａ方向側）から下流側（図１２中矢印Ｂ方向側）に向けて（筐体部１９０の前方側から後方側に向けて）下り傾斜するように形成されており、カウントスイッチ１２６は遊技球通路２００の底面に対して略垂直になっている。さらに、大入賞装置８４は、遊技球通過部１９６の円縁の下端部が遊技球通路２００の底面と略一致するように、配置されており、遊技球通路２００を通過してきた遊技球Ｍが円滑に遊技球通過部１９６に進入できるようになっている。
【００７５】
また、図８及び図９に示すように、筐体部１９０を構成する筐体底部１９４には、大入賞口８６とカウントスイッチ１２６の遊技球通過部１９６とを接続する遊技球通路２００が形成されている。この遊技球通路２００は、上蓋部１９２の壁部２０２により区画形成されている。遊技球通路２００の延在方向一方側端部は、大入賞口８６の開口部を閉塞する開閉板８８の幅方向一方側端部寄り（大入賞口８６の開口部を閉塞する開閉板８８の幅方向一方側端部と幅方向他方側端部の両方に接続されていない状態）に位置している。また、遊技球通路２００は遊技球通過部１９６に向かって略直線状に延在しているため、平面視（図９参照）において遊技球通路２００の延在方向は筐体部１９０の幅方向（図９中矢印Ｗ方向）に対して傾斜した構成となっている。
【００７６】
また、図１０に示すように、筐体部１９０の裏面側（遊技者側と反対側）には、装飾駆動基板１１４を一構成要素であるＬＥＤ基板２０４が取り付けられている。このＬＥＤ基板２０４には、ＬＥＤ２０６が取り付けられており、ＬＥＤ基板２０４による発光制御に基づいて大入賞装置８４の裏面側から遊技者側に向けて発光することができる。このように、大入賞装置８４に、電飾効果を与えることができる。特に、カウントスイッチ１２６が大入賞装置８４の幅方向に対して傾斜しているため、ＬＥＤ２０６から出射された光の光量がカウントスイッチ１２６により干渉されて低減されることがなく、カウントスイッチ１２６を設けたことによる電飾効果の低減を防止することができる。
【００７７】
また、図１３に示すように、大入賞装置８４の表面側（遊技者側）には、遊技盤２６に大入賞装置８４を取り付けるための固定片２０８が接続されている。この固定片２０８にはビスなどの固着具が貫通する孔（図示省略）が形成されており、固定片２０８が固着具により遊技盤２６に固定されることにより、大入賞装置８４が遊技盤２６に取り付けられている。
【００７８】
すなわち、図１４に示すように、遊技盤２６には、大入賞装置８４を装着させるための厚み方向に貫通した貫通孔（孔部）２１０が形成されている。大入賞装置８４は、この貫通孔２１０に装着されるとともに、上述した固定片２０８を介して遊技盤２６に保持されている。ここで、大入賞装置８４が遊技盤２６に取り付けられた状態では、大入賞装置８４に設けられたカウントスイッチ１２６（より具体的には、遊技球通過部１９６）が遊技盤２６の厚み内部に相当する空間部Ｓに位置している。換言すれば、カウントスイッチ１２６の遊技球通過部１９６は、遊技盤２６の前方側（遊技者側）に位置することなく、後方側（遊技者側と反対側）に位置することもなく、遊技盤２６の厚み内部に相当する部位に位置している。
【００７９】
次に、本実施形態の遊技機の作用について説明する。
【００８０】
図３、図８及び図９に示すように、大当りに当選すると、大入賞装置８４の開閉板８８は、主制御基板により制御信号を受けた大入賞口ソレノイド１３２により駆動されて、所定の時間及び所定の回数だけ大入賞口８６を開放する。このため、遊技盤２６に打ち出された遊戯球の一部は、大入賞口８６から内部に進入する。遊技球Ｍは、大入賞口８６から内部に進入すると、遊技球通路２００を通ってカウントスイッチ１２６の遊技球通過部１９６に導かれる。遊技球Ｍは、遊技球通過部１９６を通過することでカウントスイッチ１２６により検知され、遊技球通過部１９６を通過した遊技球Ｍの個数がカウントされる。なお、カウントスイッチ１２６でカウントされた遊技球Ｍの個数は、検知信号として主制御基板１０２に送信される。
【００８１】
ここで、図１０乃至図１２に示すように、遊技球通過部１９６の厚み方向に沿って延びる部位１２６Ｂの延在方向は、水平方向（鉛直方向）に対し、遊技球通路２００を通過する遊技球Ｍの遊技球通過方向上流側（図１２中矢印Ａ方向側）から下流側（図１２中矢印Ｂ方向側）に向けて下り傾斜しているため、遊技球Ｍが遊技球通過部１９６において停滞してしまうことを防止できる。このため、遊技球通過部１９６近傍で遊技球Ｍの動きが滞ることがなく、ひいては大入賞口８６から遊技球通過部１９６にかけての遊技球通路２００上で多くの遊技球Ｍが停滞することを防止できる。この結果、カウントスイッチ１２６における遊技球Ｍの想定カウント数と、カウントスイッチ１２６において実際にカウントされる遊技球Ｍのカウント数（換言すれば、遊技球通過部１９６を実際に通過した遊技球Ｍの個数）と、を略一致させることができる。この点、従来の遊技機では、遊技球通路２００上で多くの遊技球Ｍが停滞するため、カウントスイッチ１２６における遊技球Ｍの想定カウント数よりも、カウントスイッチ１２６において実際にカウントされる遊技球Ｍのカウント数（換言すれば、遊技球通過部１９６を実際に通過した遊技球Ｍの個数）が遥かに多くなっていたが、本実施形態の遊技機では両者の整合性をとることができる。
【００８２】
特に、図８及び図９に示すように、遊技球通路２００が遊技球通過部１９６に向かって略直線状に延在しているため、大入賞口８６から遊技球通路２００に進入した遊技球Ｍは、遊技球通路２００上を何の障害も無く進行して遊技球通過部１９６を通過していくことになる。このため、遊技球Ｍは、軌道を大きく変えることなく、遊技球通過部１９６を通過する。この結果、大入賞口８６から内部に進入した遊技球Ｍが遊技球通過部１９６を通過するまでの時間を短くすることができる。大入賞口８６から内部に進入した遊技球Ｍが遊技球通過部１９６を通過するまでの時間を短くすることができれば、大入賞口８６から遊技球通過部１９６にかけての遊技球通路２００上で多くの遊技球Ｍが停滞することを防止できる。
【００８３】
また、遊技球通路２００の延在方向一方側端部が開閉板８８の幅方向一方側端部寄りに位置しているため、遊技球通路２００の延在方向一方側端部が開閉板８８の幅方向一方側端部から他方側端部にかけて接続されている構成と比較して、遊技球Ｍが遊技球通路２００に進入するための入口が狭くなるので、大入賞口８６から遊技球通路２００に進入する遊技球Ｍの個数を低減させることができる。この結果、大入賞口８６から遊技球通過部１９６にかけての遊技球通路２００上で多くの遊技球Ｍが停滞することを防止できる。
【００８４】
さらに、遊技球通路２００の延在方向は大入賞装置８４の幅方向に対して傾斜しているため、大入賞口８６から遊技球通路２００に進入した遊技球Ｍは、遊技球通路２００を区画する上蓋部１９２の壁部２０２に衝突する度に、遊技球Ｍに作用している力（例えば、重力など）を分散させながら壁部２０２に沿って遊技球通路２００を進むため、遊技球Ｍの進行速度を減速させることができる。この結果、遊技球Ｍは、減速された状態で遊技球通過部１９６を通過することになるので、遊技球通過部１９６における誤検知（遊技球Ｍの通過速度が速くなり過ぎて検知できない状態）を防止できる。
【００８５】
以上のように、本実施形態の遊技機では、カウントスイッチによるカウント値と実際に遊技球通過部１９６を通過した遊技球Ｍの個数とを略一致させることができる。
【００８６】
また、図１０及び図１１に示すように、カウントスイッチ１２６の幅方向に延びる上面部１２６Ａの延在方向が大入賞装置８４の幅方向（大入賞口９６の開口面）に対して傾斜しているので、その長手方向が大入賞装置８４の幅方向（大入賞口８６の開口面）に対して平行に配置されている構成と比較して、大入賞装置８４の幅方向寸法を小さく設定することができ、ひいては大入賞装置８４自体の大きさを小型化することができる。
【００８７】
また、遊技球通路２００の延在方向が大入賞装置８４の幅方向（大入賞口８６の開口面）に対して傾斜しているため、遊技球通路２００の延在方向が大入賞装置８４の幅方向（大入賞口８６の開口面）に対して略直交する方向（奥行き方向（図１０中矢印Ｔ方向））に形成されている構成と比較して、大入賞装置８４の奥行き寸法を小さく設定することができ、ひいては大入賞装置８４自体の大きさを小型化することができる。このように、大入賞装置８４の幅方向寸法と奥行き寸法の両方を短く設定することができるので、大入賞装置８４を大幅に小型化することが可能となる。大入賞装置８４を小型化することにより、その分だけ遊技盤２６の遊技領域２８を広くすることができるため、遊技領域２８に配置される他の役物（入賞装置など）や釘などの配置設計を容易にすることができる。
【００８８】
なお、遊技球通路２００の延在方向が大入賞装置８４の幅方向（大入賞口８６の開口面）に対して傾斜している構成でも、遊技球通路２００が遊技球通過部１９６に向かって略直線状に延在しているので、遊技球通路２００に進入した遊技球Ｍの軌道を大きく変えることなく、遊技球Ｍが遊技球通過部１９６を通過することになる。この結果、遊技球Ｍは、遊技球通過部１９６を円滑かつ迅速に通過することになる。
【００８９】
さらに、図１４に示すように、大入賞装置８４が遊技盤２６の貫通孔２１０に装着された状態で、遊技球通過部１９６が遊技盤２６の厚み内部に相当する空間部Ｓに位置しているため、不正行為者が遊技盤２６の前方又は後方から遊技球通過部１９６にアプローチする際に、遊技盤２６が邪魔になる。すなわち、不正行為者が工具を用いて遊技盤２６の前方側から遊技球通過部１９６に細工をしようとしても、工具の侵入が遊技盤２６や大入賞装置８４の筐体部１９０に阻まれるため、遊技球通過部１９６に対する不正行為を防止することができる。また、同様に、不正行為者が工具を用いて遊技盤２６の後方側から遊技球通過部１９６に細工をしようとしても、遊技球通過部１９６が遊技盤２６の後方に突出していないため、遊技球通過部１９６に工具をアプローチさせることが困難となる。特に、大入賞装置８４の後方側には、ＬＥＤ基板２０４が取り付けられているため、遊技盤２６の後方側から工具を用いて不正行為をしようとしても、ＬＥＤ基板２０４が工具の侵入を阻むため、不正行為を防止することができる。この結果、不正行為者に不正行為を躊躇させ、不正行為の発生を抑制することができる。
【００９０】
なお、上記実施形態のパチンコ機１０は、遊技球が遊技者から見て遊技盤２６の左側から右側に向けて発射されるパチンコ機を前提としているため、カウントスイッチ１２６が遊技盤２６を正面からみて大入賞装置８４の内部の右側に配置している構成のものである。つまり、遊技盤２６の遊技領域２８を流下した遊技球は、大入賞口８６に入球しても左側から右側に転動しやすいので、カウントスイッチ１２６を右側に配置しているのである。
【００９１】
これに対して、カウントスイッチ１２６を大入賞装置８４の内部の左側に配置してもよい。この場合には、遊技球が大入賞口８６に入球したときに右側から左側に転動しやすいように、遊技球通路２００の傾斜角度を上記実施形態における遊技球通路２００の傾斜角度よりもさらに大きくすること（傾斜を急にすること）が好ましい。
【図面の簡単な説明】
【００９２】
【図１】本発明の第１実施形態に係る遊技機の正面図である。
【図２】本発明の第１実施形態に係る遊技機の側面図である。
【図３】本発明の第１実施形態に係る遊技機の遊技盤の正面図である。
【図４】本発明の第１実施形態に係る遊技機の電子制御装置の主要部の構成を示すブロック図である。
【図５】本発明の第１実施形態に係る遊技機の電子制御装置を構成するサブ制御基板を説明するための説明図である。
【図６】本発明の第１実施形態に係る遊技機の電子制御装置における電力の供給の流れを説明するための説明図である。
【図７】本発明の第１実施形態に係る遊技機の電子制御装置を構成する発射制御基板を説明するための説明図である。
【図８】本発明の第１実施形態に係る遊技機の遊技盤に装着される大入賞装置の斜視図である。
【図９】本発明の第１実施形態に係る遊技機の遊技盤に装着される大入賞装置の平面図である。
【図１０】本発明の第１実施形態に係る遊技機の遊技盤に装着される大入賞装置の内部を示した斜視図である。
【図１１】本発明の第１実施形態に係る遊技機の遊技盤に装着される大入賞装置の内部を示した説明図である。
【図１２】大入賞装置の内部に設けられる遊技球検知部を示した説明図であり、図９のＸ−Ｘ方向に見た断面図である。
【図１３】図１１に示す大入賞装置に固定片が取り付けられている状態を示した説明図である。
【図１４】図１１に示す大入賞装置が固定片を介して遊技盤に取り付けられている状態を示した説明図である。
【符号の説明】
【００９３】
１０        パチンコ機（遊技機）
２６        遊技盤
５６        普通電動役物（入賞装置）
８４        大入賞装置（入賞装置）
８６        大入賞口（開口部）
８８        開閉板（開閉部）
１２６      カウントスイッチ（遊技球検知部）
２００      遊技球通路
２１０      貫通孔（孔部）
Ｍ          遊技球
Ｓ          空間部
【図１】
2008161579.tif 000003
【図２】
2008161579.tif 000004
【図３】
2008161579.tif 000005
【図４】
2008161579.tif 000006
【図５】
2008161579.tif 000007
【図６】
2008161579.tif 000008
【図７】
2008161579.tif 000009
【図８】
2008161579.tif 000010
【図９】
2008161579.tif 000011
【図１０】
2008161579.tif 000012
【図１１】
2008161579.tif 000013
【図１２】
2008161579.tif 000014
【図１３】
2008161579.tif 000015
【図１４】
2008161579.tif 000016